(57)【要約】  拡散装置 （５０）は、下部（５４）であって、その上に配設された下部カバー（５７）を有する下部（５４）を含んでいる。装置は、さらに、上部（５２）であって、下部（５４）の上に配設された上部カバー（５６）を有する上部（５２）、および上部カバー（５６）と下部カバー（５７）との間に配設されたポンプ・アセンブリを含んでいる。ポンプ・アセンブリからは、第一、第二、および第三のアーム部が伸張しており、第一、第二、および第三のアーム部は、それぞれ、それに取り付けられた第一、第二、および第三の圧電装置を備えている。
2008538693.tif 000002
【特許請求の範囲】
【請求項１】
下部であって、その上に配設された下部カバーを有する下部と、
上部であって、該下部の上に配設された上部カバーを有する上部と、
該上部カバーと該下部カバーとの間に配設されたポンプ・アセンブリと、
該ポンプ・アセンブリから伸張している第一、第二、および第三のアーム部において、該第一、第二、および第三のアーム部は、それぞれ、それに取り付けられた第一、第二、および第三の圧電装置を含んでいるアーム部と、
を備える拡散装置。
【請求項２】
該下部カバーに固定され、かつ、該下部カバーから伸張している支持体をさらに含み、
該支持体は、該下部と該ポンプ・アセンブリとを接続している請求項１記載の拡散装置。
【請求項３】
該ポンプ・アセンブリは、ねじによって該支持体に接続されている請求項２記載の拡散装置。
【請求項４】
それぞれ、第一、第二、および第三のウィックを有する第一、第二、および第三の容器をさらに含み、
該第一、第二、および第三の容器は、該容器が該装置に挿入される時、該第一、第二、および第三のウィックがそれぞれ該第一、第二、および第三の圧電装置に隣接して配設されるように、該ポンプ・アセンブリの該第一、第二、および第三のアーム部に手動で取り付けられる請求項２記載の拡散装置。
【請求項５】
該ポンプ・アセンブリは、スプリング付きであり、かつ、該支持体に摺動可能に接続されている請求項２記載の拡散装置。
【請求項６】
該装置の動作モードを制御するようにされており、かつ、五つの位置を有する動作モード・セレクタをさらに含み、
該装置は、少なくとも第一および第二の動作モードを有している請求項１記載の拡散装置。
【請求項７】
該動作モードは、第一の活性物質を放出するモードと、第二の活性物質を放出するモードと、第三の活性物質を放出するモードと、該第一、第二、および第三の活性物質を第一の予め決められた所要時間で交互に放出するモードと、該第一、第二、および第三の活性物質を第二の予め決められた所要時間で交互に放出するモードと、一つまたはそれ以上の活性物質の放出を一定の時間に亘って増大させるモードと、一つまたはそれ以上の活性物質の放出を一定の時間に亘って減少させるモードと、一つまたはそれ以上の活性物質の放出を一定の時間に亘って定期的に中断するモードとを含むモードのグループから選択することができる請求項６記載の拡散装置。
【請求項８】
該装置を五つの異なるドゥエル時間のうちの一つに設定することができる五つの位置を有する放出頻度セレクタをさらに含み、
該ドゥエル時間は、スプレーとスプレーとの間の時間である請求項６記載の拡散装置。
【請求項９】
それぞれ、第一、第二、および第三のウィックを有する第一、第二、および第三の容器をさらに含み、
該第一、第二、および第三のウィックは、該上部カバーが該下部の上に配設されている時、該第一、第二、および第三の圧電装置に隣接して配設されている請求項１記載の拡散装置。
【請求項１０】
該第一、第二、および第三のウィックは、該上部カバーが該下部から取り外されている時、該第一、第二、および第三の圧電装置に隣接して配設されていない請求項９記載の拡散装置。
【請求項１１】
該圧電装置を付勢させる電力を供給する少なくとも一つのバッテリーをさらに備えている請求項１記載の拡散装置。
【請求項１２】
該下部の底部表面におけるドアをさらに含み、
該ドアは、該少なくとも一つのバッテリーを挿入し、かつ、取り外すために開くことができる請求項１１記載の拡散装置。
【請求項１３】
該上部カバーは、三つのコラムに形成されており、かつ、該コラムのうちの一つは、フラップを含む第一および第二のフレキシブルな部分を含み、かつ、該第一および第二のフレキシブルな部分に圧力を加えて、該上部カバーを該拡散装置から取り外すことができる請求項１記載の拡散装置。
【請求項１４】
上部カバーを有する上部および下部カバーを有する下部において、該上部カバーは、該下部カバーの上に配設されており、それにより、該上部カバーおよび該下部カバーの間にキャビティーを形成している上部および下部と、
キャビティー内に配設された容器において、該容器は、その中の活性物質およびそれから伸張しているウィックを備えている容器と、
スプリング付きのポンプ・アセンブリであって、該下部カバーに摺動可能に接続されており、かつ、該スプリング付きのポンプ・アセンブリから伸張している圧電素子を備えているスプリング付きのポンプ・アセンブリと、
を備え、
該上部カバーが該スプリング付きのポンプ・アセンブリの上に挿入されている時、該ポンプ・アセンブリは、下方に移動して、該圧電素子は、該容器から伸張している該ウィックと接触状態となり、かつ、該カバーが取り外されている時、該ポンプ・アセンブリは、上方に移動し、かつ、該ウィックとの接触状態を解かれている拡散装置。
【請求項１５】
該上部カバーおよび該下部カバーは、その間に第一、第二、および第三のキャビティーを形成しており、かつ、第一、第二、および第三の容器であって、その中の第一、第二、および第三の活性物質、ならびに、それぞれ、それから伸張している第一、第二、および第三のウィックを有している第一、第二、および第三の容器が、それぞれ、該第一、第二、および第三のキャビティー内に配設されている請求項１４記載の拡散装置。
【請求項１６】
該スプリング付きのポンプ・アセンブリは、該上部カバーが該スプリング付きのポンプ・アセンブリ上に挿入されている時、該第一、第二、および第三のウィックと接触状態になる、該スプリング付きのポンプ・アセンブリから伸張している第一、第二、および第三の圧電素子を備えている請求項１５記載の拡散装置。
【請求項１７】
該第一、第二、および第三の活性物質は、異なるものである請求項１５記載の拡散装置。
【請求項１８】
第一、第二、および第三の活性物質を拡散装置から拡散させる方法であって、
該活性物質（複数も可）の分散についての強さのレベルを選択する工程において、該強さのレベルは、活性物質の放出と放出との間の時間によって決定される工程と、
該第一の活性物質を放出するモードと、該第二の活性物質を放出するモードと、該第三の活性物質を放出するモードと、該第一、第二、および第三の活性物質のうちの少なくとも二つを第一の予め決められた所要時間に基づいて交互に放出するモードと、該第一、第二、および第三の活性物質のうちの少なくとも二つを第二の予め決められた所要時間に基づいて交互に放出するモードと、を含む五つの異なる動作モードのうちの一つを選択する工程と、
を含む方法。
【請求項１９】
該方法は、少なくとも一つのバッテリーを該拡散装置に挿入する工程をさらに含む請求項１８記載の方法。
【請求項２０】
該装置を従来の家庭用電源に差し込む工程をさらに含む請求項１８記載の方法。
【発明の詳細な説明】
【技術分野】
【０００１】
関連出願の相互参照
本出願は、２００３年１１月１０日に出願された出願第ＰＣＴ／ＵＳ２００３／０３６０９０号の一部継続出願であり、出願第ＰＣＴ／ＵＳ２００３／０３６０９０号は、２００２年１１月８日に出願された米国仮出願第６０／４２５，０６１号、および２００５年４月１２日に出願された米国仮出願第６０／６７０，５１９号に対して優先権を主張するものである。本出願は、このような以前の出願全てに対して、優先権を主張するものであり、かつ、そのような出願は、これにより、参照によりその全体が組み込まれる。
【０００２】
連邦政府による資金提供を受けた研究開発の参照
適用不可。
【０００３】
順次リスト
適用不可。
【０００４】
本開示は、拡散装置に関し、より具体的には、二つ以上の活性物質を放出する拡散装置に関する。
【背景技術】
【０００５】
市場には、多数の活性物質拡散装置または拡散器が、存在する。このような装置の多くは、その中の液体活性物質を分散するのに、周囲の空気の流れだけを必要とする受動装置である。他の装置は、バッテリーの電力で動作するか、あるいは、装置から伸張しているプラグを介して家庭用電力を受け取る。プラグと装置との間にはコードが結合されているか、あるいは、装置に直接プラグが取り付けられている場合もある。
【０００６】
拡散装置から活性物質を分散するための様々な手段が、同様に、技術上既知である。例えば、ある種の拡散装置は、活性物質を加熱して、その気化を促進するための加熱素子を備えている。他の拡散装置は、ファンまたはブロワーを用いて、空気の流れを発生させ、活性物質を拡散装置から周囲の環境へと向ける。別のタイプの拡散装置では、空気のパルスを伝達して香料のリングを排出させるボーラス発生器を用いて、活性物質が装置から放出される。さらに他の拡散装置は、活性物質を分散するのに、超音波手段を用いて活性物質を分散する。
【０００７】
一例では、拡散装置が、芳香剤の分散用に二つのヒータを備えている。この装置は、ハウジングと、ハウジングから伸張している、コンセントに挿入するためのプラグと、二つの容器であって、その中の芳香剤、およびそれから伸張して容器から芳香剤を吸収するウィックを有する二つの容器とを備えている。ヒータのそれぞれは、各ウィックを加熱して、その中の芳香剤を気化させるため、ウィックのうちの一つに隣接して配設されている。オプションとしては、内部のソフトウェアによって制御されるＣＰＵで、先ず、二つのヒータのうちの第一のものを、予め決められた時間期間の間、作動させることができる。その時間期間が終了した後では、ＣＰＵは、第一のヒータを停止させ、その後、第二のヒータを起動する。
【０００８】
他の拡散装置は、カートリッジを受け入れるためのキャビティーを有するハウジングを含んでいる。カートリッジは、一般に、回動可能なディスク上に配設された複数の香料要素を有している。ハウジング内には、空気流を発生させるためのブロワーが取り付けられており、それにより、香料要素を横切って空気を通過させ、ハウジング内の開口部から外に出す。ハウジングは、さらに、回動可能なディスクを回転させる回転手段を備えており、それにより、ディスク上の香料要素を回転させる。この装置は、第一の香料を、予め決められた時間期間の間、拡散させ、その後、ディスクを第二の香料まで回転させて、第二の香料を、予め決められた時間期間の間、拡散させる。このプロセスは、最後の香料要素が、予め決められた時間期間の間、拡散され、次いで、ディスクが、ホームポジションに回転されるまで、繰り返される。
【０００９】
特許文献１、特許文献２、特許文献３、特許文献４、特許文献５、および特許文献６には、圧電的に作動する振動型液体微粒化装置が説明されており、これらの全ては、本出願の譲受人に譲渡されており、かつ、これにより、参照により組み込まれる。これらの特許は、液体微粒化プレートに結合されている圧電作動素子を含む装置を記述している。圧電作動素子は、作動素子に加えられる交流電圧に応答して液体微粒化プレートを振動させる。プレートの振動は、液体供給システムによってプレートに供給される液体の微粒化を引き起こす。作動素子の反対側と電気的に接触している導電性素子に交流電圧を供給するため、電気回路が設けられている。導電性素子は、装置を内蔵しているハウジング内で作動素子および液体微粒化プレートを支持するものにもなる。
【特許文献１】米国特許第６，２９３，４７４号
【特許文献２】米国特許第６，３４１，７３２号
【特許文献３】米国特許第６，３８２，５２２号
【特許文献４】米国特許第６，４５０，４１９号
【特許文献５】米国特許第６，７０６，９８８号
【特許文献６】米国特許第６，８４３，４３０号
【発明の開示】
【課題を解決するための手段】
【００１０】
本発明の一態様によれば、拡散装置は、下部であって、その上に配設された下部カバーを有する下部を備えている。装置は、さらに、上部であって、下部の上に配設された上部カバーを有する上部と、上部カバーと下部カバーとの間に配設されたポンプ・アセンブリとを含んでいる。ポンプ・アセンブリからは、第一、第二、および第三のアーム部が伸張しており、第一、第二、および第三のアーム部は、それぞれ、それに取り付けられた第一、第二、および第三の圧電装置を含んでいる。
【００１１】
本発明のまた別の態様によれば、拡散装置は、上部カバーを有する上部および下部カバーを有する下部において、上部カバーは、下部カバーの上に配設されており、それにより、上部カバーおよび下部カバーの間にキャビティーを形成している上部および下部を備えている。装置は、さらに、キャビティー内に配設された容器において、容器は、その中の活性物質およびそれから伸張しているウィックを備えている容器を含んでいる。また、さらに、スプリング付きのポンプ・アセンブリであって、下部カバーに摺動可能に接続されており、かつ、スプリング付きのポンプ・アセンブリから伸張している圧電素子を備えているスプリング付きのポンプ・アセンブリを含んでいる。上部カバーがスプリング付きのポンプ・アセンブリの上に挿入されている時、ポンプ・アセンブリは、下方に移動して、圧電素子は、ウィックと接触状態となり、かつ、カバーが取り外されている時、ポンプ・アセンブリは、上方に移動し、かつ、ウィックとの接触状態を解かれている。
【００１２】
本発明のまたさらなる態様によれば、第一、第二、および第三の活性物質を拡散装置から拡散させる方法は、活性物質（複数も可）の分散についての強さのレベルを選択する工程において、強さのレベルは、活性物質の放出と放出との間のドゥエル時間によって決定される工程を含んでいる。方法は、さらに、第一の活性物質を放出するモードと、第二の活性物質を放出するモードと、第三の活性物質を放出するモードと、第一、第二、および第三の活性物質を第一の予め決められた所要時間に基づいて交互に放出するモードと、第一、第二、および第三の活性物質を第二の予め決められた所要時間に基づいて交互に放出するモードとを含む五つの異なる動作モードのうちの一つを選択する工程を含んでいる。
【００１３】
本発明の他の態様および利点は、以下の詳細な説明および添付の図面（同様の要素には、同様の参照番号を付してある）を考察すれば、明らかとなるであろう。
【発明を実施するための最良の形態】
【００１４】
図１〜９Ｃは、本発明による拡散装置５０の第一の実施形態を示す。図１で分かるように、拡散装置５０は、上部５２および下部５４を含んでいる。上部５２は、拡散装置５０の内容物にアクセスするための、下部５４から取り外せる上部カバー５６を含んでいる。下部５４の上には、上部５２の内容物から下部５４の内容物を分離するための下部カバー５７（図２）が配設されている。
【００１５】
上部カバー５６は、上部５２と下部５４との間に、それぞれ、第一、第二、および第三のコンパートメント６０ａ〜６０ｃを形成している第一、第二、および第三のコラム５８ａ〜５８ｃを含んでいる。図２で分かるように、第二のコラム５８ｂは、好ましくは、フラップを含む第一および第二のフレキシブルな部分６２ａ、６２ｂを含んでおり、フラップは、それぞれ、それから伸張している第一および第二の外向きタブ６３ａ、６３ｂを有している。閉じた位置では、タブ６３ａ、６３ｂは、伸張して、下部カバー５７に配設された開口部６５ａ、６５ｂ（それぞれ図４および７）を規定している壁部６４ａ、６４ｂと干渉する。フレキシブルな部分６２ａ、６２ｂにおいて、互いに向かって圧力を加えると、タブ６３ａ、６３ｂは、移動して、開口部６５ａ、６５ｂを規定している壁部６４ａ、６４ｂとの干渉を脱し、それにより、上部カバー５６を下部５４から取り外すことが可能となる。
【００１６】
図２〜４で分かるように、上部５２は、それぞれ、第一、第二、および第三の容器７２ａ〜７２ｃを保持するための第一、第二、および第三の台座部７０ａ〜７０ｃを含んでおり、容器７２ａ〜７２ｃのそれぞれは、その中に活性物質を備えている。台座部７０ａ〜７０ｃは、好ましくは（必ずではないが）、下部カバー５７と一体であり、かつ、それから上方に伸張している。容器７２ａ〜７２ｃのそれぞれは、それぞれ、ウィック７４ａ〜７４ｃを備えており、ウィック７４ａ〜７４ｃは、容器７２ａ〜７２ｃの中の活性流体と連通しており、かつ、容器７２ａ〜７２ｃの上部を通って伸張している。台座部７０ａ〜７０ｃのそれぞれは、それぞれ、環状外側リップ部７５ａ〜７５ｃを含んでおり、環状外側リップ部７５ａ〜７５ｃは、各容器７２ａ〜７２ｃを各台座部７０ａ〜７０ｃ上で位置決めしている。この実施形態における台座部７０ａ〜７０ｃは、台座部７０ａ〜７０ｃが異なる高さを有しているという点においてのみ、互いに異なっている。第一の台座部７０ａは、第一の高さに配設されており、第二の台座部７０ｂは、第一の高さより高い第二の高さに配設されており、かつ、第三の台座部７０ｃは、第一および第二の高さより高い第三の高さに配設されている。オプションとしては、台座部７０ａ〜７０ｃのうちの一部または全てを、同じ高さに配設することができる。
【００１７】
図５〜７を参照すると、上部５２は、さらに、中心円筒形支持体７６（図５および７に見える）を含んでおり、中心円筒形支持体７６は、下部カバー５７と一体であり、かつ、それから垂直に上方に伸張している。オプションとしては、支持体７６と下部カバー５７とは、一体でなくてもよく、代わりに、技術上既知の任意のやり方で、互いに取り付けてよい。支持体７６の上部の上には、ポンプ・アセンブリ７８が、摺動可能に配設されており、支持体７６とポンプ・アセンブリ７８との間には、スプリング８０が、配設されている。スプリング７９は、ポンプ・アセンブリ７８の底面８２に配設された円筒形のボス８１を囲む第一の端部８０ａを有している。スプリング７９は、スプリング７９の第二の端部８０ｂが下部カバー５７に当接するように、支持体７６に、かつ、支持体７６を通って、伸張している。スプリング７９は、ポンプ・アセンブリ７８を上方にバイアスしている。
【００１８】
図５〜７でさらに分かるように、三つの下方に垂れ下がったポスト８４ａ〜８４ｃが、支持体７６およびスプリング８０を囲み、かつ、それぞれ、支持体７６における三つの長手のスロット８６ａ〜８６ｃと合わさるように配置されている。ポスト８４ａ〜８４ｃは、それぞれ、内向きのフランジ８８ａ〜８８ｃを有しており、フランジ８８ａ〜８８ｃは、スロット８６ａ〜８６ｃの中へと、かつ、スロット８６ａ〜８６ｃを通って、それぞれ伸張している。スロット８６ａ〜８６ｃは、支持体７６の周囲の周りに、等間隔に設けられている。ポスト８４ａ〜８４ｃおよびフランジ８８ａ〜８８ｃは、ポンプ・アセンブリ７８の運動を案内する。具体的には、ポスト８４ａ〜８４ｃおよびフランジ８８ａ〜８８ｃは、フランジ８８ａ〜８８ｃの上側の面８０ａ〜８０ｃがスロット８６ａ〜８６ｃを規定してる部分における上側の壁部９２ａ〜９２ｃに接触する点として定義された上限と、フランジ８８ａ〜８８ｃの下側の面９４ａ〜９４ｃがスロット８６ａ〜８６ｃを規定している部分における下側の壁部９６ａ〜９６ｃに接触する点として定義された下限との間における、スプリング８０のバイアスに抗しての直線的な上下移動を可能にしている。スロット８６ａ〜８６ｃは、各ポスト８４ａ〜８４ｃから伸張しているフランジ８８ａ〜８８ｃを捕捉して、台座部７０ａ〜７０ｃ、したがって、容器７２ａ〜７２ｃに対する圧電装置８６ａ〜８６ｃの角度的な位置合わせを維持している。
【００１９】
ここで図２〜４を参照すると、ポンプ・アセンブリ７８は、中心部１０２、および中心部１０２から伸張しており、かつ、中心部１０２と一体である第一、第二、および第三のアーム部１０４ａ〜１０４ｃを含んでおり、アーム部１０４ａ〜１０４ｃのそれぞれは、開口部１０５ａ〜１０５ｃを、その中に有している（図４）。アーム部１０４ａ〜１０４ｃのそれぞれはまた、その下側に取り付けられた圧電ポンプまたは装置１０６ａ〜１０６ｃも備えており、したがって、圧電装置１０６ａ〜１０６ｃは、各開口部１０５ａ〜１０５ｃの下に、かつ、各開口部１０５ａ〜１０５ｃと位置合わせ状態で配設されている。
【００２０】
ここで参照により組み込まれている特許のいずれにおいても記述されている圧電装置のいずれも、圧電装置１０６ａ〜１０６ｃの代わりに利用できる。一般に、これらの装置は、圧電素子に交流電圧を加えて、素子を膨張させ、かつ、収縮させる。圧電素子は、穿孔オリフィスプレートに結合されており、これは今度は、液体源と表面張力で接触している。圧電素子の膨張および収縮は、オリフィスプレートを上下に振動させ、それにより、液体は、オリフィスプレートの孔を通って駆動され、次いで、エアロゾル化粒子の形態で、上方に放出される。
【００２１】
上部カバー５６が、下部５４の上に配設されている場合は、台座部７０ａ〜７０ｃ、容器７２ａ〜７２ｃ、アーム部１０４ａ〜１０４ｃ、および圧電装置１０６ａ〜１０６ｃは、それぞれ、コンパートメント６０ａ〜６０ｃ内に存在している。この閉じた位置では、コラム５８ａ〜５８ｃの上部１０８ａ〜１０８ｃは、それぞれ、アーム部１０４ａ〜１０４ｃを下方に押しており、それにより、圧電装置１０６ａ〜１０６ｃを、それぞれ、ウィック７４ａ〜７４ｃと接触させている。上部カバー５６を取り外すと、ポンプ・アセンブリ７８は、スプリング７９によって与えられたバイアスに応じて、全体として、上方に移動し、それにより、アーム部１０４ａ〜１０４ｃを上方に移動させ、かつ、圧電装置１０６ａ〜１０６ｃを移動させて、各ウィック７４ａ〜７４ｃとの接触状態を解く。圧電装置１０６ａ〜１０６ｃとウィック７４ａ〜７４ｃとの各接触がないと、圧電装置１０６ａ〜１０６ｃは、各容器７２ａ〜７２ｃ内に内蔵されている活性物質を適切に微粒化することができない。
【００２２】
図１で分かるように、それぞれ、第一、第二、および第三のコラム５８ａ〜５８ｃの上部には、第一、第二、および第三の円形開口部７６ａ〜７６ｃが、配設されている。上部カバー５６が、下部５４の上に配設されている場合は、開口部７６ａ〜７６ｃは、アーム部１０４ａ〜１０４ｃにおける各開口部１０５ａ〜１０５ｂと整列しており、したがって、各圧電装置１０６ａ〜１０６ｃと整列している。コラム５８ａ〜５８ｃにおける円形の開口部７６ａ〜７６ｃは、圧電装置１０６ａ〜１０６ｃによって微粒化された活性物質の出口となる。
【００２３】
図１および４で最もよく分かるように、動作モードの作動アーム１１０ａおよび放出頻度の作動アーム１１０ｂは、共に、回動アームの形態となっており、拡散装置５０の下部５４から伸張している。具体的には、動作モードの作動アーム１１０ａは、拡散装置５０の動作モードを制御し、かつ、装置５０の下部５４における開口部９２ａを通って伸張している。放出頻度の作動アーム１１０ｂは、拡散装置５０の放出頻度を制御し、かつ、装置５０の下部における別の開口部１１２を通って伸張している。
【００２４】
図８は、拡散装置５０の下部５４であって、下部５４から下部カバー５７を取り外した状態を示す。下部５４は、動作モードの作動アーム１１０ａおよび放出頻度の作動アーム１１０ｂを含み、これらは、共に、第一および第二のスライド・スイッチ１１４ａ、１１４ｂに、それぞれ、連動的に接続されている（以下でより詳しく論じる）。スライド・スイッチ１１４ａ、１１４ｂも、圧電装置１０６ａ〜１０６ｃの動作モードおよび放出頻度を制御するためのプリント基板（ＰＣＢ）１１６に連動的に接続されている。
【００２５】
セレクタ１１０ａ、１１０ｂのそれぞれは、五つの選択可能な位置を有している。セレクタ１１０ａ、１１０ｂの一方または両方に対してユーザが選択した位置は、各セレクタ１１０ａ、１１０ｂの、各スライド・スイッチ１１４ａ、１１４ｂに対する現在の位置を示す。スライド・スイッチ１１４ａ、１１４ｂの位置は、ＰＣＢ１１６によって検出される。ＰＣＢ１１６上に取り付けられている構成要素は、セレクタ１１０ａ、１１０ｂの位置に対応して、圧電装置１０６ａ〜１０６ｃを制御する。図４で分かるように、２本のワイヤ１１７が、圧電装置１０６ａ〜１０６ｃのそれぞれからジャンパー・ボード１１９に伸張しており、ジャンパー・ボード１１９は、リボンケーブル１２０（スプリング７９の中心を通って走っている）によって、ＰＣＢ１１６に接続されている。フレキシブルなリボンケーブル１２０は、フレキシブルでなければならず、かつ、前述したポンプ・アセンブリ７８の上下運動に適応するための十分なたるみを有していなければならない。
【００２６】
本発明では、活性物質の１回の放出またはスプレー毎に、オン時間または期間およびドゥエル時間または期間を含む期間が存在する。オン時間は、活性物質が実際に放出される時間期間を表わし、かつ、ドゥエル時間は、拡散装置５０が作動しない、すなわち、拡散装置５０から活性物質が放出されない、スプレーとスプレーとの間の時間期間を表わす。追加的に、活性物質のうちのいずれも、予め決められた所要時間の間、作動させることができ、ここで、予め決められた所要時間は、活性物質が、装置によって間欠的に放出されるべき時間の全長さを表わす。好ましくは、予め決められた所要時間は、上で説明したように、複数の期間を含んでいるが、オプションとしては、単一の期間のみを含むことができる。
【００２７】
動作モード・セレクタ１１０ａは、拡散装置５０の動作モードを制御する。例えば、一実施形態では、動作モード・セレクタ１１０ａは、五つの異なる位置を有するスライド・スイッチを含むことができる。ユーザが、セレクタ１１０ａを第一の位置に移動すると、動作モードが開始され、第一の活性物質が、第一の容器７２ａから間欠的に放出される。好ましくは（必ずではないが）、放出またはスプレーは、間欠的に生じ、スプレーとスプレーとの間のドゥエル時間は、選択された強さに対して一定である（これは、以下でより詳細に説明する）。ユーザが、セレクタ１１０ａを第二の位置にスライドさせると、第一のオート・モードの動作が開始され、拡散装置５０は、第一、第二、および（または）第三の容器７２ａ〜７２ｃの活性物質の放出を交互に行なう。このモードでは、スプレーは、好ましくは（必ずではないが）、第一のモードに関して上で説明したように、間欠的である。例示として、一実施形態では、容器７２ａ〜７２ｃのうちの一つからの活性物質は、第一の予め決められた所要時間の間、間欠的に噴霧され、その後、容器７２ａ〜７２ｃのうちの２番目のものからの活性物質が、第二の予め決められた所要時間の間、間欠的に噴霧され、そして、その後、容器７２ａ〜７２ｃのうちの３番目のものからの活性物質が、第三の予め決められた所要時間の間、間欠的に噴霧される。第一、第二、および第三の予め決められた所要時間のうちのいずれかまたは全てを、同じにすることができ、あるいは、予め決められた所要時間は全て、異なるものにすることができる。予め決められた所要時間は、任意の好適な時間期間とすることができるが、好ましくは、約１分と約２４時間との間である。好ましくは、予め決められた期間は、約３時間と約２４時間との間である。好適な一実施形態では、予め決められた期間は、約３時間であり、また、別の好適な実施形態では、予め決められた期間は、約２４時間である。第一のオート・モードに対する他のオプショナルな動作モードを、以下に説明する。
【００２８】
セレクタ１１０ａを第三の位置に移動すると、動作モードは、第二の容器７２ｂからの第二の活性物質が、上で詳細に説明したように、間欠的に放出されるモードになる。第四の位置では、第二のオート・モードの動作が開始され、拡散装置５０は、第一、第二、および（または）第三の容器７２ａ〜７２ｃからの活性物質の放出を交互に行なう。第二のオート・モードは、第一のオート・モードに関して上で説明したオート・モードと同様にすることができるか、あるいは、任意の交互動作モード（以下で詳細に説明する）にすることができる。セレクタ１１０ａを第五の位置に移動すると、動作モードは、第三の容器７２ｃからの第三の活性物質が、上で詳細に説明したように、間欠的に放出されるモードになる。オプションとしては、このような、説明した動作モードのうちのいずれも、任意の位置にすることができる。
【００２９】
前の例では、二つのオート・モードのみを説明したが、任意数のオート・モードを使用することができ、すなわち、オート・モードを全く使用しないことも、あるいは、オート・モードを五つまで使用することもでき、また、オート・モード同士は、同じ、あるいは、異なるものにすることができる。
【００３０】
ここで、本明細書中の実施形態のうちのいずれにも、各種の異なるオート・モードを組み込むことができる。このような追加および（または）代替の動作モードは、以下に説明する回路、および（または）追加の回路に変更を施して使用することができる。オプションとしては、例示的な一オート・モードでは、該オート・モードは、上で説明した第一のオート・モードと同様に機能することができ、活性物質放出のそのようなシーケンスは、一回のみ生ずるように、あるいは、連続的に繰り返すようにすることができる。さらなるオプションとしては、活性物質のうちの任意の二つを、上で説明したように、交互に放出させることができる。予め決められた所要時間は、活性物質に対して、複数の期間を想定しているが、一つまたはそれ以上の活性物質に対して、ただ一つの期間、したがって、ただ一回のスプレーを採用することができる。
【００３１】
ここまで論じてきた実施形態は、活性物質のシーケンシングを想定しているが、第一、第二、および（または）第三の活性物質は、ランダムに作用させることができる。そのようなランダムなモードでは、放出される活性物質のそれぞれに対するオン時間、ドゥエル時間、および（または）予め決められた所要時間は、全て同じにすることができるし、あるいは、全て異ならせることができる。
【００３２】
例示として、別のモードでは、拡散装置５０から放出される一つまたはそれ以上の活性物質（複数も可）のオン時間を、変化させる。例えば、オン時間は、活性物質が装置によって噴霧される時間を、徐々に増大させるか、あるいは、減少させることによって、変化させることができる。オプションとしては、別のモードでは、活性物質のスプレーとスプレーとの間の時間を、徐々に増大させるか、あるいは、減少させることによって、一つまたはそれ以上の活性物質（複数も可）に対するドゥエル時間を変化させる。
【００３３】
また別の動作モードでは、ある活性物質に対するオン時間を増大させ、それにより、より多くの活性物質を放出させることができ、かつ、予め決められた所要時間の間、そのオン時間に留まらせることができる。予め決められた所要時間は、１分と３０分との間の任意の時間期間など、活性物質の慣れを防ぐ任意の時間限度にすることができる。予め決められた所要時間後は、活性物質に対するオン時間を減少させて、それにより、より少ない活性物質を放出させることができ、かつ、同じまたは異なる予め決められた所要時間の間、そのオン時間に留まらせることができる。このサイクルは、繰り返すことができ、あるいは、ランダムなまたは複雑なパターンで繰り返すことができる。また、任意数の異なる活性物質の放出レベルを、そのような動作モードで使用することができる。オプションとしては、ある活性物質に対するドゥエル時間を減少させて、それにより、より頻繁に活性物質を噴霧させることができ、かつ、予め決められた所要時間の間、そのドゥエル時間に留まらせることができる。予め決められた所要時間がひとたび終了したら、ドゥエル時間を増大させ、それにより、より少ない頻度で活性物質を噴霧させることができ、かつ、そのようなドゥエル時間に、同じまたは異なる予め決められた所要時間の間、留まらせることができる。さらなるオプションとしては、一つまたはそれ以上の活性物質に対するオン時間およびドゥエル時間を、上で説明したように減少させ、かつ（あるいは）、増大させることができる。
【００３４】
別の動作モードでは、全ての活性物質の放出を、予め決められたオフ時間の間、中断させることができ、オフ時間は、活性物質が中断される時間期間である。予め決められたオフ時間は、活性物質のレベルが、減少する、あるいは、周囲の環境から部分的にまたは全面的に放散することを可能にする任意の時間期間とすることができるが、好ましくは、予め決められたオフ時間は、約１分と約３０分との間である。予め決められたオフ時間が終了した後では、活性物質の放出が再開される。このサイクルは、オフ時間を同じにして、あるいは、増大させて、あるいは、減少させて、繰り返すことができる。
【００３５】
さらなる別法として、別の動作モードでは、二つまたはそれ以上の活性物質を、ここで説明した任意のやり方で、同時に分散することができる。
【００３６】
ここで開示した動作モードのうちの任意のもの、あるいは、技術上既知のものは、単独で、あるいは、任意の組合せで用いることができる。また、これらの動作モードのうちの任意のものは、単一の活性物質を放出する拡散装置、あるいは、複数の活性物質を放出する拡散装置に使用することができる。
【００３７】
放出頻度セレクタ１１０ｂは、拡散装置５０の活性物質の放出頻度を制御する。例えば、一実施形態では、セレクタ１１０ｂは、五つの異なる位置を有するスライド・スイッチを含むことができる。芳香剤の各スプレーは、オン時間およびドゥエル時間を含み、ここで、オン時間は、芳香剤が噴霧される時間期間を表わし、かつ、ドゥエル時間は、拡散装置５０が作動しない、すなわち、活性物質を放出しない、スプレーとスプレーとの間の所要時間を表わす。好ましくは（必ずではないが）、オン時間は、一定のままである。オプションとしては、オン時間は、可変の所要時間とすることができる。
【００３８】
セレクタ１１０ｂの第一の位置は、第一のドゥエル時間を起動させることができ、第二の位置は、第二のドゥエル時間を起動させることができ、かつ、第三の位置は、第三のドゥエル時間を起動させることができる。また、さらに、第四および第五の位置は、それぞれ、第四および第五のドゥエル時間を起動させることができる。ドゥエル時間は、好適な所要時間とすることができるが、好ましくは、数秒と数分との間である。最も好ましくは、第一、第二、第三、第四、および第五のドゥエル時間は、それぞれ、３０秒、２１秒、１５秒、９秒、および４.５秒である。別のオプショナルの組合せは、２７秒、１８秒、１２秒、９秒、および４.５秒のドゥエル時間を含んでいる。また別の組合せは、１８秒、１２秒、９秒、６秒、および４.５秒のドゥエル時間を含んでいる。
【００３９】
オプションとしては、セレクタ１１０ａおよび１１０ｂは、好適な数のモードまたは強さに対応する任意数の位置を有することができる。また、該位置は、任意のモードまたは強さに対応させることができる。
【００４０】
図８および９Ａ〜Ｃでさらに分かるように、拡散装置５０の下部５４は、好ましくは、圧電装置１０６ａ〜１０６ｃに選択的に加えられる高周波交流電力に変換される直流を供給する二つのバッテリー１２２ａ、１２２ｂを備えている。オプションとしては、拡散装置５０は、圧電装置１０６ａ〜１０６ｃに間欠的に加えられる高周波交流電力にまで整流され、かつ、変換される家庭用交流電流を電源とすることができる。バッテリー１２２ａ、１２２ｂは、「Ａ」、「ＡＡ」、「ＡＡＡ」、「Ｃ」、および「Ｄ」セル、ボタン・セル、腕時計バッテリー、およびソーラー・セルなどの任意の従来のドライセル・バッテリーとすることができるが、好ましくは、バッテリー９８ａ、９８ｂは、「ＡＡ」または「ＡＡＡ」セル・バッテリーである。バッテリーは、２個が好適であるが、装置内に適切に嵌り、かつ、適切な電力レベルおよび寿命を有すると考えられる任意数のバッテリーを使用することができる。
【００４１】
図９Ａを参照すると、下部５４は、その第一の端部１３２にヒンジ１３１およびその第二の端部１３６にラッチ機構１３４を有するバッテリー・ドア１３０を含んでいる。ラッチ機構１３４は、下部５４におけるロッキング凹部１３６と相互に作用しあって、バッテリー・ドア１３０を閉じた位置に保持する。ラッチ機構１３４は、屈曲されて、ラッチ機構１３４を、ロッキング凹部１３６から解放することができ、それにより、バッテリー・ドア１３０を、ヒンジ１３１の周りに回動させて、バッテリー・ドア１３０を開き、下部５４へのアクセスを可能とすることができる。
【００４２】
図９Ｂおよび９Ｃで分かるように、下部カバー５７の底部表面１４２から、二つのピン１４１ａ、１４１ｂが、伸張しており、ピン１４１ａ、１４１ｂは、それぞれ、セレクタ１１０ａ、１１０ｂの回動点をなしている。スライド・スイッチ１１４ａ、１１４ｂのそれぞれは、それから伸張しているボタン１４３ａ、１４３、およびそれにおけるスロット１４４ａ、１４４ｂを含んでおり、ボタン１４３ａ、１４３は、各スロット１４４ａ、１４４ｂに沿って、五つのデテント位置のうちの一つに移動可能である。セレクタ１１０ａ、１１０ｂのそれぞれから伸張しているヨーク１４５ａ、１４５ｂは、それぞれ、各ボタン１４３ａ、１４３ｂをその側面で囲んでおり、ボタン１４３ａ、１４３ｂを各スロット１４４ａ、１４４ｂに沿って移動させる。
【００４３】
下部５４はさらに、それから伸張しているオプションの脚部１３８ａ〜１３８ｃを含むことができ、これらは、拡散装置５０を安定化させるのに役立つ。脚部１３８は、三つ示してあるが、拡散装置５０を安定化させるため、任意の適当な数の脚部１３８を使用することができる。
【００４４】
図９Ａ〜Ｃでさらに分かるように、下部５４の底部表面１４２には、第一、第二、および第三のねじ１４０ａ〜１４０ｃが配設されている。ねじ１４０ａ〜１４０ｃは、下部５４を下部カバー５７に接続するため、下部５４を通って伸張している。オプションとしては、下部５４は、熱かしめ、または、例えば、リベット、プレスフィット、スナップフィット、超音波溶接、接着剤、など、およびその組合せを含む任意の他の適当な締結手段によって、下部カバー５７に取り付けることができる。
【００４５】
図１０〜１２は、本発明の拡散装置１５０の第二の実施形態を示す。図１〜９の実施形態と同様、拡散装置１５０は、上部１５２および下部１５４を含んでいる。上部１５２は、拡散装置１５０の内容物にアクセスするための、下部１５４から取り外せる上部カバー１５６を含んでいる。下部１５４の上には、上部１５２の内容物から下部１５４の内容物を分離するための下部カバー１５７が配設されている。
【００４６】
上部カバー１５６は、それぞれ、上部１５２と下部１５４との間に、第一、第二、および第三のコンパートメント１６０ａ〜１６０ｃを形成している第一、第二、および第三のコラム１５８ａ〜１５８ｃを含んでいる。好ましくは、図１２Ａで分かるように、円筒形コラム１５８ａ〜１５８ｃのそれぞれの内側表面１６１ａ〜１６１ｃは、二つの対向するくぼみ１６３ａ〜１６３ｃを有している。さらに、図１１および１２で分かるように、下部カバー１５７は、それと一体で、かつ、それから上方に伸張している三つの半円形の突起１６４ａ〜１６４ｃを有しており、突起１６４ａ〜１６４ｃのそれぞれは、その上に配設された二つのノッチ１６５ａ〜１６５ｃを有している。上部カバー１５６が、下部カバー１５７の上に挿入されている時は、ノッチ１６５ａ〜１６５ｃは、くぼみ１６３ａ〜１６３ｃを形成している壁部と係合しており、上部カバー１５６を下部カバー１５７上に保持している。
【００４７】
図１１および１２で分かるように、上部１５２は、下部カバー１５７と一体で、かつ、それから垂直に伸張している支持体１７６を含んでいる。オプションとしては、支持体１７６と下部カバー１５７とは、一体でないようにすることができ、代わりに、技術上既知の任意のやり方で、互いに取り付けることができる。支持体１７６には、ねじ１８３によって、定置ポンプ・アセンブリ１７９が固定されているが、オプションとしては、任意の既知の締結手段で固定することができる。
【００４８】
図１０および１１を参照すると、ポンプ・アセンブリ１７９は、中心部２０２から伸張しており、かつ、中心部２０２と一体の、第一、第二、および第三のアーム部２０４ａ〜２０４ｃを有する中心部２０２を含んでおり、アーム部２０４ａ〜２０４ｃのそれぞれは、それぞれ、その上部に取り付けられた圧電装置２０６ａ〜２０６ｃを備えている。アーム部２０４ａ〜２０４ｃの上の圧電装置２０６ａ〜２０６ｃの上には、それぞれ、それにおいて円形の開口部２１７ａ〜２１７ｃを有するリテイナー・キャップ２１５ａ〜２１５ｃ（図１１）が配設されている。圧電装置２０６ａ〜２０６ｃは、図１〜９の実施形態に関連して説明した圧電装置１０６ａ〜１０６ｃと同じやり方で動作する。
【００４９】
三つの容器１７２ａ〜１７２ｃは、それぞれ、それから伸張しているウィック１７４ａ〜１７４ｃ、およびキャップ部分２０７ａ〜２０７ｃ（それから伸張している二つの対向する接続ラグ２０９ａ〜２０９ｆを有している）を備えている。さらに、アーム部２０４ａ〜２０４ｃのそれぞれは、二つの対向するバヨネット・スロットを有しており、それにおいて各接続ラグ２０９ａ〜２０９ｆを受け入れて、容器が、対応するアーム部２０４ａ〜２０４ｃ内にねじ込まれ、かつ、それにおいて保持されることを可能にしている。このような接続部は、本出願の譲受人に譲渡され、かつ、これにより、参照により組み込まれているＳｃｈｒａｍｍ  ｅｔ  ａｌ．の米国特許第６，４４６，８８０号で詳細に説明されている。オプションとしては、容器１７２ａ〜１７２ｃをアーム部２０４ａ〜２０４ｃに着脱可能に接続する任意の他の手段が使用できる。
【００５０】
図１０で分かるように、それぞれ、第一、第二、および第三のコラム１５８ａ〜１５８ｃの上部２１１ａ〜２１１ｃには、第一、第二、および第三の円形開口部１７７ａ〜１７７ｃが、配設されている。上部カバー１５６が、下部１５４の上に配設されている場合は、容器１７２ａ〜１７２ｃ、アーム部２０４ａ〜２０４ｃ、圧電装置２０６ａ〜２０６ｃ、およびリテイナー・キャップ２１５ａ〜２１５ｃは、それぞれ、コンパートメント１６０ａ〜１６０ｃ内に存在している。コラム１５８ａ〜１５８ｃ内の開口部１７６ａ〜１７６ｃは、それぞれ、リテイナー・キャップ２１５ａ〜２１５ｃ内の各開口部２１７ａ〜２１７ｃと整列しており、したがって、各圧電装置２０６ａ〜２０６ｃと整列している。したがって、コラム１５８ａ〜１５８ｃにおける円形の開口部１７６ａ〜１７６ｃは、圧電装置２０６ａ〜２０６ｃによって微粒化された活性物質の出口となる。
【００５１】
図１１および１２で最もよく分かるように、動作モード・セレクタ２１０ａおよび放出頻度セレクタ２１０ｂは、共に、回動アームの形態となっており、拡散装置１５０の下部１５４から伸張している。動作モード・セレクタ２１０ａは、装置１５０の拡散モードを制御し、かつ、拡散装置１５０の下部１５４における開口部２１２ａを通って伸張している。動作モード・セレクタ２１０ａは、図１〜９の実施形態の動作モード・セレクタ１１０ａと同様であり、かつ、同様に動作する。放出頻度セレクタ２１０ｂは、拡散装置１５０の放出頻度を制御し、かつ、装置１５０の下部１５４における別の開口部２１２ｂを通って伸張している。放出頻度セレクタ２１０ｂは、図１〜９の実施形態の放出頻度セレクタ１１０ｂと同様であり、かつ、同様に動作する。
【００５２】
下部１５４は、図１〜９の実施形態に関連して示し、かつ、説明したのと同じ構成要素、より具体的には、図８および６で見たのと同じ構成要素を内蔵している。図１０〜１２の実施形態は脚部なしで示してあるが、装置１５０の安定化のためには、任意数の脚部を使用することができる。
【００５３】
図１０〜１２の実施形態では示していないが、圧電装置２０６ａ〜２０６ｃのそれぞれから装置１５０の電気的構成要素まで伸張している配線が存在する。この配線は、好ましくは、リテイナー・キャップ２１５ａ〜２１５ｃの下側に配設されており、ポンプ・アセンブリ１７９に沿って、支持体に沿って、かつ、下部カバー１５７における開口部を通って、装置１５０の下部１５４へと伸張することになろう。
【００５４】
図１３〜１６は、図１０〜１２の実施形態と同様の、本発明の拡散装置２５０の第三の実施形態を示す。拡散装置２５０は、上部２５２および下部２５４を含んでている。上部２５２は、下部２５４の上に配設された第一の一体の部分３２０を有する上部カバー２５６を含んでおり、第一の一体の部分３２０は、第一、第二、および第三の中空コラム２５８ａ〜２５８ｃを含んでいる。上部２５２は、さらに、第一、第二、および第三のカバー部分３２４ａ〜３２４ｃ（それぞれ、その中心部分を通る開口部３２６ａ〜３２６ｃを有している）を含んでいる第二の一体の部分３２２（図１４）を含んでいる。第一の一体の部分３２０および第二の一体の部分３２２は、第一および第二の一体の部分３２２、３２４が、異なる色、しぼ、および（または）他の特徴を有することができる、という点で、美学的な利点を有している。例えば、第一の一体の部分３２０は、不透明または半透明にすることができ、かつ、第二の一体の部分３２２は、ある色彩で薄く色を付けることができる。さらに、第二の一体の部分３２２は、圧電装置２０６ａ〜２０６ｃ、および（または）圧電装置２０６ａ〜２０６ｃに至るいかなる配線も保護する。図１３〜１６で分かるように、第一の一体の部分３２０は、下部２５４から取り外すことができ、かつ、第二の一体の部分３２２も、取り外すことができ、それにより、拡散装置２５０の上部２５２の内容物を露出することができる。下部２５４の上には、上部２５２の内容物から下部２５４の内容物を分離するため、下部カバー２５７（図１４）が配設されている。
【００５５】
図１４および１４Ａで分かるように、コラム２５８ａ〜２５８ｃのうちの最も背の高いものは、第一および第二の対向するノッチ３２７ａ、３２７ｂを含むことができる。下部２５４から第一の一体の部分３２０を取り外すと、ノッチ３２７ａ、３２７ｂは、各カバー部分３２４ａ〜３２４ｃのリップ部分３２８ａ〜３２８ｃを捕捉し、それにより、第一の一体の部分３２０の完全な取り外しを防ぐ。第一の一体の部分３２０の部分的な取り外しは、装置２５０の内部にアクセスして、装置２５０の中の任意の容器２７２ａ〜２７２ｃを交換することを可能にする。オプションとしては、ノッチ３２７ａ、３２７ｂを有するコラム２５８の側部を強く握って、ノッチ３２７ａ、３２７ｂを各リップ部分３２８から解放し、それにより、第一の一体の部分３２０の取り外しを可能にすることができる。
【００５６】
図１０〜１２の実施形態と同様、図１３〜１６の実施形態の上部２５２は、下部カバー２５７と一体で、かつ、それから垂直に伸張している支持体２７６を含んでいる。支持体２７６には、ねじ２８１によって、定置ポンプ・アセンブリ２７９が固定されているが、オプションとしては、任意の既知の締結手段で固定することができる。
【００５７】
図１５および１６を参照すると、ポンプ・アセンブリ２７９は、中心部３０２から伸張しており、かつ、中心部３０２と一体の第一、第二、および第三のアーム部３０４ａ〜３０４ｃを有する中心部３０２を含んでおり、アーム部３０４ａ〜３０４ｃのそれぞれは、それぞれ、その上部に取り付けられた圧電装置３０６ａ〜３０６ｃを備えている。使用の場合は、カバー部分３２４ａ〜３２４ｃ内の開口部３２６ａ〜３２６ｃを、それぞれ、圧電装置３０４ａ〜３０４ｃの上に配設し、かつ、それと整列させて、それから分散すべき活性物質の出口とする。圧電装置３０６ａ〜３０６ｃは、図１〜９の実施形態に関連して説明した圧電装置１０６ａ〜１０６ｃと同じやり方で動作する。
【００５８】
容器２７２ａ〜２７２ｃ（ウィック２７４ａ〜２７４ｃがそれから伸張している）が、図１０〜１２の実施形態に関連して説明したのと同じやり方で、アーム部３０４ａ〜３０４ｃに挿入されており、かつ、それから取り外される。
【００５９】
動作モード・セレクタ３１０ａおよび放出頻度セレクタ３１０ｂは、共に、回動アームの形態となっており、拡散装置２５０の下部２５４から伸張している。動作モード・セレクタ３１０ａは、装置２５０の拡散モードを制御し、かつ、拡散装置２５０の下部２５４における開口部３１２ａを通って伸張している。動作モード・セレクタ３１０ａは、図１〜９の実施形態の動作モード・セレクタ１１０ａと同様に動作する。放出頻度セレクタ３１０ｂは、拡散装置２５０の放出頻度を制御し、かつ、装置２５０の下部２５４における別の開口部３１２ｂを通って伸張している。放出頻度セレクタ３１０ｂは、図１〜９の実施形態の放出頻度セレクタ１１０ｂと同様に動作する。
【００６０】
下部２５４は、図１〜９の実施形態に関連して示し、かつ、説明したのと同じ、より具体的には、図８および９で見、かつ、説明したのと同じ構成要素を内蔵している。オプションとしては、図１６で最もよく分かるように、装置２５０は、装置２５０の安定化のため、脚部３３８ａ〜３３８ｃを含むことができる。
【００６１】
図１７〜２３は、本発明の拡散装置３５０の第四の実施形態を示す。拡散装置３５０は、上部３５２および下部３５４を含んでおり、上部３５２は、ふた３５５を含み、かつ、下部３５４は、下部カバー３５７を含んでいる。ふた３５５は、ヒンジ３５９（図１９）によって、下部３５４に取り付けられており、ふた３５５は、ヒンジ３５９の周りに回動させて、ふた３５５を開閉することができ、それにより、下部３５４の内容物にアクセスできる。
【００６２】
ここで図２０〜２３を参照すると、下部３５４は、下部３５４の中心部を横切って伸張している基部３６１を含んでいる。基部３６１は、その表面に取り付けられ、かつ、互いに間隔を空けた第一、第二、および第三の圧電装置４０６ａ〜４０６ｃを備えている。各圧電装置４０６ａ〜４０６ｃの下の基部３６１には、第一、第二、および第三の開口部３６３ａ〜３６３ｃが配設されている。第一、第二、および第三の容器３７２ａ〜３７２ｃ（その中に第一、第二、および第三の活性物質が配設され、かつ、第一、第二、および第三のウィック３７４ａ〜３７４ｃがそれから伸張している）が、第一、第二、および第三の開口部３６３ａ〜３６３ｃ内に挿入され、かつ、それによって固定されており、したがって、ウィック３７４ａ〜３７４ｃは、各圧電装置３８６ａ〜３８６ｃと接触状態となっている。好ましくは、容器３７２ａ〜３７２ｃは、第一、第二、および第三の開口部３６３ａ〜３６３ｃ内に、図１０〜１２の実施形態に関連して説明したように固定されている。
【００６３】
図１７および１８で分かるように、ふた３５５は、それに配設され、かつ、互いに間隔を空けた第一、第二、および第三の放出開口部３８９ａ〜３８９ｃを有している。放出開口部３８９ａ〜３８９ｃは、ウィック３７４ａ〜３７４ｃおよび圧電装置３８６ａ〜３８６ｃに対して整列させてある。圧電装置３８６ａ〜３８６ｃのうちの一つまたはそれ以上が、各容器３７２ａ〜３７２ｃ内の活性物質を微粒化すると、エアロゾル化された粒子が、上方に、かつ、各放出開口部３８９ａ〜３８９ｃから放出される。圧電装置３８６ａ〜３８６ｃは、図１〜９の実施形態についての説明で詳細に論じたように、動作する。
【００６４】
動作モード・セレクタ４１０ａは、ふた３５５に配設された開口部４１２ａを通って伸張しており、装置３５０の動作モードを制御する。動作モード・セレクタ４１０ａは、図１〜９の実施形態と同様であり、かつ、同様に動作する。例示として、図１７で分かるように、ふた３５５は、いかなる放出モードが選択されているかについての表示を有することができる。例えば、第一の標識４１４ａは、第一の容器３７２ａからの第一の活性物質を、装置３５０から放出し得ることを示すことができる。第二の標識４１４ｂは、装置３５０が、第一、第二、および第三の活性物質を、第一、第二、および第三の容器３７２ａ〜３７２ｃから交互に放出し得ることを示すことができ、分散される活性物質は、１時間毎に変わる。さらに、第三の標識４１４ｃは、第二の容器３７２ｂからの第二の活性物質を、装置３５０から放出し得ることを示すことができる。第四の標識４１４ｄは、装置３５０が、第一、第二、および第三の活性物質を、第一、第二、および第三の容器３７２ａ〜３７２ｃから交互に放出し得ることを示すことができ、分散される活性物質は、２４時間毎に変わる。第五の標識４１４ｅは、第三の容器３７２ｃからの第三の活性物質を、装置３５０から放出し得ることを示すことができる。線、点線、破線、矢印、または任意の他の既知の標識、またはその組合せを含む（しかしこれらに限定されない）任意のタイプの標識または標識群を、使用することができる。さらに、１時間および２４時間の時間期間が、ふた３５５上に示されているが、任意の時間期間を使用することができる（しかし、好適な時間期間は、約１分と２４時間との間である）。
【００６５】
放出頻度セレクタ４１０ｂは、拡散装置３５０の放出頻度を制御し、ふた３５５における別の開口部４１２ｂを通って伸張しており、それに沿って移動する。放出頻度セレクタ４１０ｂは、図１〜９の実施形態についての説明で論じた放出頻度セレクタ１１０ｂと同様であり、かつ、同様のやり方で動作する。図１８で分かるように、ふた３５５は、選択された強さのレベルを示すための表示を、開口部４１２ｂに隣接して配設することもできる。
【００６６】
図２０〜２３で分かるように、ＰＣＢ４１６が、基部３６１に接続されている。ＰＣＢ４１６の構成要素は、図１〜９の実施形態についての説明で開示されたのと同じであるが、ユーザが、下部３５４の内部にアクセスした時、構成要素が損傷されるのを防ぐため、ＰＣＢ４１６の下側に存在している点が異なる。ここで開示された他の実施形態の場合と同様、装置３５０は、圧電装置４０６ａ〜４０６ｃに電力を供給するため、一つまたはそれ以上のバッテリー４２２ａ、４２２ｂを備えることができる。バッテリーは、図２３および２４で分かるように、好ましくは、基部３６１の下に配設されている。
【００６７】
図１７〜２３の実施形態では、ユーザが、一つまたはそれ以上のバッテリー４２２ａ、４２２ｂおよび（あるいは）一つまたはそれ以上の容器３７２ａ〜３７２ｃを交換することを望む場合は、ユーザは、先ず、装置３５０のふた３５５を開けねばならない。基部３６１は、複数のねじ４２４によって、ふた３５５に取り付けられている。したがって、ふた３５５をヒンジ３５９の周りに回転して、開いた位置にすると、基部３６１、したがって、装置４５０の構成要素の全てが、ふた３５５と共に回転する。この時点で、容器３７２ａ〜３７２ｃおよび（または）バッテリー４２２ａ、４２２ｂが、アクセス可能となり、交換可能となる。ユーザが、必要な構成要素を交換した後、ふた３５５、したがって、基部３６１および他の取り付けられている構成要素を回転して、閉じた位置にすることができる。
【００６８】
ここでの実施形態のいずれにおいても、ＬＥＤを装置に組み込んで、ユーザに表示を与えることができる。例えば、実施形態のいずれも、装置の下部から突出しているＬＥＤを備えることができ、その場合、ＬＥＤは、装置のオン／オフ状態、または装置のバッテリー電力を示すことになる。別の例では、図１７〜２３の実施形態は、ふた３５５から突出している一つまたはそれ以上のＬＥＤ（複数も可）をオプションとして備えることができ、その場合、ＬＥＤ（複数も可）は、装置のオン／オフ状態、装置のバッテリー電力、特定のポンプの動作、および（または）装置の現在の動作モードを示すことができる。
【００６９】
次に、図２４を参照すると、本発明の拡散装置のうちのいずれかを、選択されたモードおよび選択された放出頻度に従って操作するための回路６００が、第一の集積回路（ＩＣ）６０２を含んでおり、これは、特定の用途向けの集積回路（ＡＳＩＣ）またはマイクロプロセッサ、およびさらなる集積回路６０４、好ましくは高能率ブースト・レギュレータとすることができる。ＩＣ６０２は、ＭＳＰ４３０F１２２２集積回路（テキサス州ダラスのＴｅｘａｓ Ｉｎｓｔｒｕｍｅｎｔｓ製）を含むことができ、一方、集積回路６０４は、ＳＰ６６４８集積回路（カリフォルニア州ミルピタスのＳｉｐｅｘ Ｃｏｒｐｏｒａｔｉｏｎ製）を含むことができる。集積回路６０４は、二つのＡＡサイズのバッテリー６０６ａ、６０６ｂからバッテリー電力を受け取り、抵抗器Ｒ１〜Ｒ５、コンデンサＣ１〜Ｃ４、およびインダクタＬ１に関連して、３.３ボルトの基準レベルを現わす。
【００７０】
ＩＣ６０２は、ＩＣ６０２のピン５と６との間に結合されている水晶６０８によって制御される内部発振器を含んでいる。水晶６０８の一端部と大地電位との間には、抵抗器Ｒ６が結合されている。また、ＩＣ６０２は、それぞれ、そのピン２および４で、電圧Ｖｃｃおよび大地電位を受け取る。抵抗器Ｒ７とコンデンサＣ５との間の接合部には、集積回路６０２のピン７が結合されている。Ｖｃｃには、抵抗器Ｒ７の別の端部が結合されており、かつ、Ｖｃｃと大地との間には、コンデンサＣ６が結合されている。ＬＥＤ６０９および抵抗器Ｒ８には、集積回路６０２のピン２４が結合されており、Ｖｃｃには、抵抗器Ｒ８の一端部も結合されている。ＩＣ６０２は、大地に接続されている抵抗器Ｒ９を介して、ピン１０で信号ＳＷ＿ＲＥＡＤを受け取る。信号ＳＷ＿ＲＥＡＤは、セレクタ１１０ａの位置を示す。より具体的には、信号ＳＷ＿ＲＥＡＤは、ピン３および１１〜１４（それぞれ、ＥＮＡＢＬＥ４、ＥＮＡＢＬＥ５、ＥＮＡＢＬＥ６、ＥＮＡＢＬＥ７、およびＥＮＡＢＬＥ８）のうちのどれが、ＩＣ６０２のピン１０に結合されているかを示す。信号ＳＷ＿ＲＥＡＤは、信号ＥＮＡＢＬＥ４、ＥＮＡＢＬＥ５、ＥＮＡＢＬＥ６、ＥＮＡＢＬＥ７、およびＥＮＡＢＬＥ８に関連して読み取ることができる。
【００７１】
ＩＣ６０２はまた、ピン２０で信号ＡＤＣ＿ＴＩＭＥ＿ＳＥＴを受け取り、信号ＡＤＣ＿ＴＩＭＥ＿ＳＥＴは、選択されているセレクタ１１０ｂの位置に対する対応する時間間隔を示す。信号ＡＤＣ＿ＴＩＭＥ＿ＳＥＴは、信号ＥＮＡＢＬＥ１０に関連して読み取ることができ、ＡＤＣ＿ＴＩＭＥ＿ＳＥＴは、セレクタ１１０ｂの位置により、抵抗器Ｒ１０〜Ｒ１３を含む抵抗器ネットワークによって生じる異なる電圧を読み取るアナログ入力ピンである。
【００７２】
３.３Ｖの基準とＶｃｃとの間には、ショットキー・ダイオードＤ１が結合されている。Ｖｃｃと大地電位との間には、さらなるコンデンサＣ８が結合されている。変圧器６１４の一次巻線６１２の第一の端子６１０には、コンデンサＣ９が接続されている。接合部６２０には、インダクタＬ２を介して、変圧器６１４の二次巻線６１８の第一の端子６１６が結合されている。別の接合部６２６には、それぞれ、一次および二次巻線６１２、６１８の第二の端子６２２および６２４が結合されている。接合部６２６は、電界効果トランジスタ（ＦＥＴ）Ｑ１によって、大地に結合されている。ＦＥＴＱ１のゲートとソースとの間には、バイアス抵抗器Ｒ１５が結合されており、ゲートは、抵抗器Ｒ１６を介して、制御信号ＰＷＭを受け取る。信号ＰＷＭは、ＩＣ６０２のピン２３に現れる。
【００７３】
圧電素子６３０、６３２、６３４の第一の端子には、接合部６２０が結合されている。圧電素子６３０は、圧電装置８６ａに対する駆動素子を含み、圧電素子６３２は、圧電装置８６ｂに対する駆動素子を含み、かつ、圧電素子６３４は、圧電装置８６ｃに対する駆動素子を含んでいる。圧電素子６３０、６３２、６３４の第二の端子は、それぞれ、ＦＥＴのＱ２、Ｑ３、およびＱ４によって、大地に結合されている。ＦＥＴＱ２のゲートとソースとの間には、バイアス抵抗器Ｒ１７が結合されており、ＦＥＴＱ２のゲートは、抵抗器Ｒ１８を介して、制御信号ＥＮＡＢＬＥ１を受け取る。同様に、ＦＥＴＱ３のゲートとソースとの間には、バイアス抵抗器Ｒ１９が結合されており、かつＦＥＴＱ３のゲートには、抵抗器Ｒ２０を介して、制御信号ＥＮＡＢＬＥ２が結合されている。また同様に、ＦＥＴＱ４のゲートとソースとの間には、別のバイアス抵抗器Ｒ２１が結合されており、かつ、ＦＥＴＱ４のゲートには、抵抗器Ｒ２２を介して、制御信号ＥＮＡＢＬＥ３が結合されている。制御信号ＥＮＡＢＬＥ１、ＥＮＡＢＬＥ２、およびＥＮＡＢＬＥ３は、ＩＣ６０２のピン９、８および２１に現れる。
【００７４】
次に、図２４のフロー図を参照すると、ＩＣ６０２は、本発明の装置のうちのいずれかが、選択されたモードおよび放出頻度に従って動作するようプログラムされている。図２５から分かるように、動作はブロック７００から始まり、ブロック７００は、セレクタ１１０ａが第一の位置にあるかどうかを判定する。これが真であると判定された場合には、制御はブロック７０２に渡され、ブロック７０２は、第一の動作モードを選択する。他方、ブロック７００が、セレクタ１１０ａは第一の位置にはない、と判定した場合は、ブロック７０４は、セレクタ１１０ａが第二の位置にあるかどうかを判定する。これが真であると判定された場合には、ブロック７０６は、第二の動作モードを選択する。ブロック７０４が、セレクタ１１０ａは第二の位置にない、と判定した場合は、ブロック７０８は、セレクタ１１０ａが第三の位置にあるかどうかを判定する。これが真である場合には、ブロック７１０は、第三の動作モードを選択する。ブロック７０８が、セレクタ１１０ａは第三の位置にない、と判定した場合には、ブロック７１２は、セレクタ１１０ａが第四の位置にあるかどうかを判定する。セレクタ１１０ａが第四の位置にある場合は、ブロック７１４は、第四の動作モードを選択する。ブロック７１２が、セレクタ１１０ａは第四の位置にない、と判定した場合には、セレクタ１１０ａは第五の位置にある、と判定され、ブロック７１６は、第五の動作モードを選択する。ＩＣ６０２は、ＳＷ＿ＲＥＡＤをチェックすることによって、セレクタ１１０ａの位置を検知し、ＳＷ＿ＲＥＡＤは、上述のように、ＥＮＡＢＬＥ４〜ＥＮＡＢＬＥ８に関連してＩＣ６０２のピン１０に供給される。該ＩＣはまた、ＡＤＣ＿ＴＩＭＥ＿ＳＥＴをチェックすることによって、セレクタ１１０ｂの位置を検知し、ＡＤＣ＿ＴＩＭＥ＿ＳＥＴは、上述のように、ＥＮＡＢＬＥ１０に関連してＩＣ６０２のピン２０に供給される。
【００７５】
モードがひとたび選択されると、ブロック７１８は、上で説明したブロック７００〜７１６と同様に、セレクタ１１０ｂの位置をチェックして、選択された放出頻度を判定する。放出頻度が、ひとたび判定されると、ブロック７１８は、ＩＣ６０２に、信号ＰＷＭ、ＥＮＡＢＬＥ１、ＥＮＡＢＬＥ２、およびＥＮＡＢＬＥ３を発生させ、今度は、圧電素子６３０、６３２、６３４を、選択された動作モードおよび放出頻度に従って付勢させる。具体的には、約１３０ｋＨｚと約１６５ｋＨｚとの間の周波数を有する高周波パルス幅変調波形が、制御信号ＰＷＭとして供給され、それにより、ＦＥＴＱ１が迅速にオン・オフし、それにより、高周波交流電力が、接合部６２０に供給される。圧電素子６３０を動作させる場合は、ハイ状態信号が、信号ＥＮＡＢＬＥ１として供給され、それにより、ＦＥＴＱ２がオンになる。圧電素子６３２を動作させる場合は、ハイ状態信号が、信号ＥＮＡＢＬＥ２として供給され、それにより、ＦＥＴＱ３がオンになる。圧電素子６３４を動作させる場合は、ハイ状態信号が、信号ＥＮＡＢＬＥ３として供給され、それにより、ＦＥＴＱ４がオンになる。
【００７６】
要約すれば、ユーザは、ここで述べた装置のうちのいずれかを動作させて、三つの異なる活性物質のうちの選択された一つを、特定の時間期間の間、選択された放出頻度で放出させることができ、あるいは、装置に、異なる活性物質を、選択された放出頻度で、交互に放出させることができる。
【００７７】
ここで論じた実施形態は、バッテリーなどの直流電源によって電力を供給されるものとして示し、かつ、説明したが、他の交流電源も考えられる。例えば、ここで述べた装置のいずれも、装置から伸張しているプラグを介して、家庭用電力で動作させることができ、プラグおよび装置にコードを結合することができる。別のオプションとしては、装置にプラグを直接取り付けて、これを家庭用電源に挿入することもできる。
【００７８】
例示として、ここで述べた液体活性物質の種類としては、例えば、殺虫剤、昆虫忌避剤、昆虫誘引剤、殺菌剤、カビまたは白カビ抑制剤、芳香剤、殺菌剤、空気浄化剤、アロマセラピー香料、防腐剤、除臭剤、積極的な芳香付与活性物質、エアフレッシュナー、脱臭剤など、およびその組合せがある。本出願は、同じまたは異なる活性物質、および（あるいは）同じまたは異なるタイプの活性物質の使用を想定している。例えば、容器７２ａは、その中に芳香剤を備えることができ、容器７２ｂは、殺虫剤を備えることができ、かつ、容器７２ｃは、殺菌剤を備えることができる。別法として、別の例では、容器７２ａは、苺の芳香剤を備えることができ、容器７２ｂは、バニラの芳香剤を備えることができ、かつ、容器７２ｃは、オレンジの芳香剤を備えることができる。そのようなものとして、液体活性物質の種類の任意の組合せのものを、ここで開示された実施形態のうちの任意のものの任意の容器で使用することができる。
【００７９】
オプションとしては、ここで開示された圧電型装置は、任意の他の既知の拡散装置で置き換えることができる。例えば、圧電装置は、加熱ウィック型装置、受動装置、エアロゾル装置など、およびその組合せによって置き換えることができる。
【００８０】
例示として、拡散装置は、熱可塑性材料、好ましくは、ポリプロピレンを材料として、射出成形されたものであるが、装置は、任意の他の適当な材料から作製することができる。拡散装置の実施形態の各種の構成要素は、共に締結する。そのようなものとして、熱かしめ、または、例えば、リベット、プレスフィット、スナップフィット、ねじ、超音波溶接、接着剤など、およびその組合せを含む任意の他の適当な締結手段（しかしそれに限定されない）を含む任意の締結手段が、使用可能である。
【００８１】
本発明の容器は、空になった時、あるいは、ユーザが新しい活性物質を望む時には何時でも、交換可能である。一つまたはそれ以上の容器を、同時に取り外して交換することができる。最適には、全三つの容器内の活性物質が、同様の時間枠内で使い尽くされ、それにより、全三つの容器の取り外しおよび交換が一度に必要になることであろう。そのようなものとして、容器（その中に活性物質を有してる）を、テーマを有することができる３パックで販売することができる。オプションとしては、容器は、個々に販売して、消費者に購入してもらうことができる。
【００８２】
ここで開示された実施形態は、三つの圧電装置および三つの容器を有する拡散装置を示しているが、ここで開示された実施形態のうちのいずれかの特徴を、任意数の圧電装置および容器を有する拡散装置に組み込むことができる。一例では、拡散装置は、一つの圧電装置および一つの容器のみを有することができる。別の例では、拡散装置は、二つの圧電装置および二つの容器を有することができる。
【産業上の利用可能性】
【００８３】
本発明の拡散装置は、複数の活性物質を、長い時間期間に亘って、自動的に分散するのに使用することができ、さらに、分散頻度および動作モードを調節できる、という追加の利点も有る。容器を挿入する各種の方法は、このような拡散装置の購入者が、容器を容易に取り外し、かつ、交換することを可能にするのに利用できる。
【００８４】
当業者には、以上の説明を読めば、多数の修正が、明らかであろう。したがって、この説明は、例示的なものとしてのみ解釈すべきであり、その目的は、当業者が本発明を行い、かつ、使用できるようにすると共に、当業者に発明実施の最良の形態を教示することである。ここで引用した全ての特許および他の参照は、その全体が、参照により組み込まれている。また、添付の特許請求の範囲内にある全ての修正についての独占権が、留保されている。
【図面の簡単な説明】
【００８５】
【図１】本発明による拡散装置の第一の実施形態の上面斜視図
【図２】図１の拡散装置の底面斜視図であって、上部カバーを図１の拡散装置から部分的に取り外して示してある。
【図３】図１の拡散装置の底面斜視図であって、上部カバーを図１の拡散装置から完全に取り外して示してある。
【図４】図３の拡散装置の上面斜視図
【図５】図３の拡散装置の分解図
【図６】図１の拡散装置のポンプ・アセンブリの底面斜視図
【図７】図３の拡散装置の上面斜視図
【図８】図１の拡散装置の下部の上面斜視図
【図９Ａ】図１の拡散装置の底面立面図
【図９Ｂ】図９Ａの拡散装置の底面斜視図であって、下部を図９Ａの拡散装置から取り外して示してある。
【図９Ｃ】図９Ａの拡散装置の底面斜視図であって、下部を図９Ａの拡散装置から取り外して示してある。
【図１０】本発明による拡散装置の第二の実施形態の上面斜視図
【図１１】図１０の拡散装置の上面斜視図であって、上部カバーを図１０の拡散装置から取り外して示してある。
【図１２】図１１の拡散装置の側面立面図
【図１２Ａ】図１０の拡散装置の上部カバーの底面斜視図
【図１３】本発明による拡散装置の第三の実施形態の上面斜視図
【図１４】図１３の拡散装置の上面斜視図であって、上部カバーを図１３の拡散装置から取り外して示してある。
【図１４Ａ】図１３の拡散装置の上部カバーの底面立面図
【図１５】図１４の拡散装置の上面斜視図
【図１６】図１５の拡散装置の側面立面図
【図１７】本発明による拡散装置の第四の実施形態の上面斜視図
【図１８】図１７の拡散装置の平面図
【図１９】図１７の拡散装置の側面図
【図２０】図１７の拡散装置の上面斜視図であって、ふたを図１７の拡散装置から取り外して示してある。
【図２１】図１７の拡散装置の上面斜視図であって、ふたおよび下部カバーを図１７の拡散装置から取り外して示してある。
【図２２】図２０の拡散装置の基部の底面立面図
【図２３】図１８の２３−２３線断面図
【図２４】本発明の拡散装置のうちのいずれかの、一つまたはそれ以上の構成要素を制御するための例示的な回路の図
【図２５】本発明の拡散装置のうちのいずれかを制御するためのスイッチと関連したロジックを示すフロー図
【図１】
2008538693.tif 000003
【図２】
2008538693.tif 000004
【図３】
2008538693.tif 000005
【図４】
2008538693.tif 000006
【図５】
2008538693.tif 000007
【図６】
2008538693.tif 000008
【図７】
2008538693.tif 000009
【図８】
2008538693.tif 000010
【図９Ａ】
2008538693.tif 000011
【図９Ｂ】
2008538693.tif 000012
【図９Ｃ】
2008538693.tif 000013
【図１０】
2008538693.tif 000014
【図１１】
2008538693.tif 000015
【図１２】
2008538693.tif 000016
【図１２Ａ】
2008538693.tif 000017
【図１３】
2008538693.tif 000018
【図１４】
2008538693.tif 000019
【図１４Ａ】
2008538693.tif 000020
【図１５】
2008538693.tif 000021
【図１６】
2008538693.tif 000022
【図１７】
2008538693.tif 000023
【図１８】
2008538693.tif 000024
【図１９】
2008538693.tif 000025
【図２０】
2008538693.tif 000026
【図２１】
2008538693.tif 000027
【図２２】
2008538693.tif 000028
【図２３】
2008538693.tif 000029
【図２４】
2008538693.tif 000030
【図２４Ａ】
2008538693.tif 000031
【図２４Ｂ】
2008538693.tif 000032
【図２４Ｃ】
2008538693.tif 000033
【図２４Ｄ】
2008538693.tif 000034
【図２４Ｅ】
2008538693.tif 000035
【図２４Ｆ】
2008538693.tif 000036
【図２４Ｇ】
2008538693.tif 000037
【図２５】
2008538693.tif 000038
【国際調査報告】
2008538693.tif 000039
2008538693.tif 000040
2008538693.tif 000041